(57)【要約】  改良されたフィルターコア構造は、フィルターコアハウジング（１）を含み、フィルターコアハウジング（１）は、位置の高低に応じてそれぞれ上部領域（１１）及び下部領域（１２）を含み、上部領域（１１）と下部領域（１２）は互いに連通し、上部領域（１１）には前置フィルターコア（２）が設けられ、下部領域（１２）には核心フィルターコア（３）が設けられ、前置フィルターコア（２）は少なくとも２種類の濾過材料を含み、内外の位置に応じて内層コア（２１）と外層コア（２２）が設けられる。
2020521627.tif 000002
【特許請求の範囲】
【請求項１】
改良されたフィルターコア構造であって、フィルターコアハウジング（１）を含み、フィルターコアハウジング（１）は、位置の高低に応じてそれぞれ上部領域（１１）及び下部領域（１２）を含み、上部領域（１１）と下部領域（１２）は互いに連通し、前記上部領域（１１）には前置フィルターコア（２）が設けられ、下部領域（１２）には核心フィルターコア（３）が設けられ、前記前置フィルターコア（２）は少なくとも２種類の濾過材料を含み、内外の位置に応じて内層コア（２１）と外層コア（２２）が設けられる、ことを特徴とする改良されたフィルターコア構造。
【請求項２】
前記外層コア（２２）はＰＰ折り畳みフィルターコアであり、内層コア（２１）は中空のカーボンロッド複合フィルターコアであり、ＰＰ折り畳みフィルターコアは、カーボンロッド複合フィルターコアの外壁を覆う、ことを特徴とする請求項１に記載の改良されたフィルターコア構造。
【請求項３】
前記内層コア（２１）及び外層コア（２２）は、上部領域（１１）に垂直に配置される、ことを特徴とする請求項１又は２に記載の改良されたフィルターコア構造。
【請求項４】
前記核心フィルターコア（３）は限外濾過ＵＦであり、限外濾過ＵＦは下部領域（１２）に垂直に配置される、ことを特徴とする請求項２に記載の改良されたフィルターコア構造。
【請求項５】
中央出水管（４）を更に含み、中央出水管（４）は上端入口（４１）と下端出口（４２）を含み、上端入口（４１）は、中空のカーボンロッド複合フィルターコアと連通し、下端出口（４２）は、限外濾過ＵＦ入口と連通する、ことを特徴とする請求項４に記載の改良されたフィルターコア構造。
【請求項６】
前記中央出水管（４）は、管路上段（４３）、延伸支持台（４４）及び継手下段（４５）を含み、延伸支持台（４４）は、管路上段（４３）と継手下段（４５）の接続位置の外壁に配置され、管路上段（４３）と継手下段（４５）は互いに連通し、管路上段（４３）は、中空のカーボンロッド複合フィルターコアの内部キャビティに挿入され、継手下段（４５）は、限外濾過ＵＦの上部入口に挿入される、ことを特徴とする請求項５に記載の改良されたフィルターコア構造。
【請求項７】
前記内層コア（２１）と外層コア（２２）は、中空円筒状の前置フィルターコア（２）を構成し、円筒状の前置フィルターコア（２）は、その内層コア（２１）であるカーボンロッド複合フィルターコアの内部キャビティの下部を介して、中央出水管（４）の管路上段（４３）の外部に配置され、円筒状の前置フィルターコア（２）の底部は、前記中央出水管（４）の延伸支持台（４４）により支持される、ことを特徴とする請求項６に記載の改良されたフィルターコア構造。
【請求項８】
前記円筒状の前置フィルターコア（２）の上部には、前置フィルターコアの上蓋（２３）が設けられ、前置フィルターコアの上蓋（２３）の中央部には、下向きの延伸部（２３１）が設けられ、下向きの延伸部（２３１）は、前置フィルターコア（２）の内層コア（２１）であるカーボンロッド複合フィルターコアの内部キャビティの上部に挿入される、ことを特徴とする請求項７に記載の改良されたフィルターコア構造。
【請求項９】
前記中央出水管（４）は、フィルターコアハウジング（１）内に配置され、中央出水管（４）の延伸支持台（４４）の上方のフィルターコアハウジング（１）の内部キャビティ部分は上部領域（１１）であり、延伸支持台（４４）の下方のフィルターコアハウジング（１）の内部キャビティ部分は下部領域（１２）であり、下部領域（１２）の高さは、上部領域（１１）の高さよりも低い、ことを特徴とする請求項６に記載の改良されたフィルターコア構造。
【請求項１０】
前記フィルターコアハウジング１の底部には、入水口（５）と出水口（６）が設けられ、出水口（６）は、前記核心フィルターコア（３）と連通し、入水口（５）は、核心フィルターコア（３）の周囲を介して上部領域（１１）と連通する、ことを特徴とする請求項１に記載の改良されたフィルターコア構造。
【発明の詳細な説明】
【技術分野】
【０００１】
本発明は、水濾過フィルターコア技術の分野に関し、特に、改良されたフィルターコア構造に関する。
【背景技術】
【０００２】
従来技術のフィルターコアには、様々な構造やスタイルがあるが、次の欠点が依然として存在している。（１）従来のフィルターコアの単一な構造の影響で、水流は一般に一端から流入して、他端から流出する。即ち、水流はほぼ直線で流動し、水流の速度が速く、濾過の効果がよくない。また、水流は一端の方向から流入し、それに対して他端の方向から流出し、フィルターコアの入水部と出水部が接続され、方向が異なるため、全体の体積が大きすぎ、フィルターコアの適用がある程度影響される。
【発明の概要】
【発明が解決しようとする課題】
【０００３】
本発明の目的は、上記の従来技術の欠点を克服し、簡単で合理的、コンパクトな構造及び小さな体積を有し、濾過効果の改善に有益であり、且つ広い適用範囲を有する改良されたフィルターコア構造を提供することである。
【０００４】
本発明の目的は、次のように実現される。
【０００５】
改良されたフィルターコア構造は、フィルターコアハウジングを含み、フィルターコアハウジングは、位置の高低に応じてそれぞれ上部領域及び下部領域を含み、上部領域と下部領域は互いに連通する。前記上部領域には前置フィルターコアが設けられ、下部領域には核心フィルターコアが設けられ、前記前置フィルターコアは少なくとも２種類の濾過材料を含み、内外の位置に応じて内層コアと外層コアが設けられる。この改良されたフィルターコア構造では、フィルターコアハウジングに上部領域と下部領域を配置し、該２つの領域にそれぞれ前置フィルターコアと核心フィルターコアを配置する。前置フィルターコアは内層コアと外層コアを含み、水は外層コアから内層コアに進入して下方の核心フィルターコアに流れ、水流の方向に変化があるため、同じ単位体積内では、流速が遅くなり、水流の濾過効果が向上する。このような内外層のコアと上下のコアとが適合する位置構造により、フィルターコア全体の構造がよりコンパクトになり、体積がより小さくなる。さらに、水流の方向に変化があるため、フィルターコアの主な入口と主な出口の位置は制限されず、同じ側又は異なる側にあってもよい。それにより、フィルターコアの配置はより多様で柔軟となり、適用範囲がより広くなり、構造が簡単で合理的である。
【０００６】
本発明の目的は、以下の技術的手段によって解決され得る。
【０００７】
さらに、前記外層コアはＰＰ折り畳みフィルターコアであり、内層コアは中空のカーボンロッド複合フィルターコアである。ＰＰ折り畳みフィルターコアは、カーボンロッド複合フィルターコアの外壁を覆って、内外層構造が構成される。これは、実施が容易であり、構造が簡単であり、取り外しも容易である。
【０００８】
さらに、前記内層コアと外層コアは上部領域に垂直に配置されることにより、内層コア内に流入した水は下に流動して核心フィルターコアに進入することが容易になる。
【０００９】
さらに、前記核心フィルターコアは限外濾過ＵＦであってもよい。限外濾過ＵＦは、水をよりよく濾過するために下部領域に垂直に配置され、且つ上方の垂直な前置フィルターコアと適合して、上下の位置関係を形成する。構造がよりコンパクトで合理的である。
【００１０】
さらに、中央出水管が更に含まれる。中央出水管は上端入口と下端出口を含み、上端入口は、中空のカーボンロッド複合フィルターコアと連通し、下端出口は、限外濾過ＵＦの入口と連通する。中央出水管は、前置フィルターコアの主な出口として機能し、前置フィルターコアにより濾過された水を下方の限外濾過ＵＦに導入する。
【００１１】
さらに、前記中央出水管は、管路上段、延伸支持台及び継手下段を含む。延伸支持台は、管路上段と継手下段の接続位置の外壁に配置される。管路上段と継手下段は互いに連通する。管路上段は、中空のカーボンロッド複合フィルターコアの内部キャビティに挿入され、継手下段は、限外濾過ＵＦの上部入口に挿入される。それにより、前置フィルターコアのカーボンロッド複合フィルターコアの内部キャビティにおける水は、中央出水管の管路上段を迅速に通過して流れ落ち、出水の速度が確保される。
【００１２】
さらに、前記内層コアと外層コアは、中空円筒状の前置フィルターコアを構成する。円筒状の前置フィルターコアは、その内層コア（カーボンロッド複合フィルターコア）の内部キャビティの下部を介して、中央出水管の管路上段の外部に配置され、円筒状の前置フィルターコアの底部は、前記中央出水管の延伸支持台により支持される。延伸支持台は、前置フィルターコアの支持台として機能できるため、製品の構造がより合理的である。
【００１３】
さらに、前記円筒状の前置フィルターコアの上部には、前置フィルターコア上蓋が設けられる。前置フィルターコア上蓋の中央部には、下向きの延伸部が設けられる。下向きの延伸部は、前置フィルターコアの内層コア（カーボンロッド複合フィルターコア）の内部キャビティの上部に挿入されて、内層コアカーボンロッド複合フィルターコアの内部キャビティの上部を覆う。
【００１４】
さらに、前記中央出水管は、フィルターコアハウジング内に配置される。中央出水管の延伸支持台の上方にあるフィルターコアハウジングの内部キャビティ部分は上部領域であり、延伸支持台の下方にあるフィルターコアハウジングの内部キャビティ部分は下部領域であり、下部領域の高さは上部領域の高さより低い。上部領域の高さがより高いため、前置フィルターコアの高さもより高い。水が底部の下部領域から上部領域に進入すると、前置フィルターコアの高さがより高いため、水は前置フィルターコアの外壁（周囲）から進入し、入水の面積が大きくなる。それにより、水流の速度が向上し、前置フィルターコアの濾過面積の均一性が確保され、濾過効果が向上する。
【００１５】
さらに、前記フィルターコアハウジングの底部には、入水口と出水口が設けられ、出水口は、前記核心フィルターコアと連通し、入水口は、核心フィルターコアの周囲を介して上部領域と連通する。即ち、入水口と出水口の両方は、フィルターコアハウジングの底部から出入りし、その外部の接続がさらにコンパクトになる。
【００１６】
本発明の有利な効果は以下のとおりである。
【００１７】
（１）この改良されたフィルターコア構造では、フィルターコアハウジングに上部領域と下部領域を配置し、該２つの領域にそれぞれ前置フィルターコアと核心フィルターコアを配置する。前置フィルターコアは内層コアと外層コアを含み、水は外層コアから内層コアに進入して下方の核心フィルターコアに流れ、水流の方向に変化があるため、同じ単位体積内では、流速が遅くなり、水流の濾過効果が向上する。このような内外層のコアと上下のコアとが適合する位置構造により、フィルターコア全体の構造がよりコンパクトになり、体積がより小さくなる。さらに、水流の方向に変化があるため、フィルターコアの主な入口と主な出口の位置は制限されず、同じ側又は異なる側にあってもよい。それにより、フィルターコアの配置はより多様で柔軟となり、適用範囲がより広くなり、構造が簡単で合理的である。
【００１８】
（２）また、外層コアはＰＰ折り畳みフィルターコアであり、内層コアは中空のカーボンロッド複合フィルターコアであり、ＰＰ折り畳みフィルターコアは、カーボンロッド複合フィルターコアの外壁を覆って、内外層構造が構成されるため、実施が容易であり、構造が簡単であり、取り外しも容易である。
【００１９】
（３）中央出水管も追加され、中央出水管は、前置フィルターコアの主な出口として機能し、前置フィルターコアにより濾過された水を下方の限外濾過ＵＦに導入することにより、前置フィルターコアのカーボンロッド複合フィルターコアの内部キャビティにおける水は、中央出水管の管路上段を迅速に通過して下に流動し、出水の速度が確保される。延伸支持台は前置フィルターコアの支持台として機能できるため、製品の構造がより合理的になる。
【図面の簡単な説明】
【００２０】
【図１】本発明の改良されたフィルターコア構造の模式図である。
【発明を実施するための形態】
【００２１】
以下、図面及び実施例を参照しながら本発明を更に説明する。
【００２２】
図１に示すように、改良されたフィルターコア構造は、フィルターコアハウジング１を含み、フィルターコアハウジング１は、位置の高低に応じてそれぞれ上部領域１１及び下部領域１２を含み、上部領域１１と下部領域１２は互いに連通し、前記上部領域１１には前置フィルターコア２が設けられ、下部領域１２には核心フィルターコア３が設けられ、前記前置フィルターコア２は少なくとも２種類の濾過材料を含み、内外の位置に応じて内層コア２１と外層コア２２が設けられる。前記外層コア２２はＰＰ折り畳みフィルターコアであり、内層コア２１は中空のカーボンロッド複合フィルターコアであり、ＰＰ折り畳みフィルターコアは、カーボンロッド複合フィルターコアの外壁を覆う。
【００２３】
前記内層コア２１と外層コア２２は上部領域１１に垂直に配置される。前記核心フィルターコア３は限外濾過ＵＦであり、限外濾過ＵＦは下部領域１２に垂直に配置される。
【００２４】
さらに具体的な解決策では、中央出水管４を更に含み、中央出水管４は上端入口４１と下端出口４２を含み、上端入口４１は、中空のカーボンロッド複合フィルターコアと連通し、下端出口４２は、限外濾過ＵＦの入口と連通する。
【００２５】
前記中央出水管４は、管路上段４３、延伸支持台４４及び継手下段４５を含み、延伸支持台４４は、管路上段４３と継手下段４５の接続位置の外壁に配置され、管路上段４３と継手下段４５は互いに連通し、管路上段４３は、中空のカーボンロッド複合フィルターコアの内部キャビティに挿入され、継手下段４５は、限外濾過ＵＦの上部入口に挿入される。
【００２６】
前記内層コア２１と外層コア２２は、中空円筒状の前置フィルターコア２を構成し、円筒状の前置フィルターコア２は、その内層コア２１であるカーボンロッド複合フィルターコアの内部キャビティの下部を介して、中央出水管４の管路上段４３の外部に配置され、円筒状の前置フィルターコア２の底部は、前記中央出水管４の延伸支持台４４により支持される。
【００２７】
前記円筒状の前置フィルターコア２の上部には、前置フィルターコアの上蓋２３が設けられ、前置フィルターコアの上蓋２３の中央部には、下向きの延伸部２３１が設けられ、下向きの延伸部２３１は、前置フィルターコア２の内層コア２１であるカーボンロッド複合フィルターコアの内部キャビティの上部に挿入される。中央出水管４は、フィルターコアハウジング１内に配置され、中央出水管４の延伸支持台４４の上方のフィルターコアハウジング１の内部キャビティ部分は上部領域１１であり、延伸支持台４４の下方のフィルターコアハウジング１の内部キャビティ部分は下部領域１２であり、下部領域１２の高さは、上部領域１１の高さよりも低い。
【００２８】
前記フィルターコアハウジング１の底部には、入水口５と出水口６が設けられ、出水口６は、前記核心フィルターコア３と連通し、入水口５は、核心フィルターコア３の周囲を介して上部領域１１と連通する。
【００２９】
動作原理は次のとおりである。水は、フィルターコアハウジング１の底部の入水口５から進入し、核心フィルターコア３の周囲の下部領域１２に沿って上方に流動し、前置フィルターコア２の周囲の上部領域１１に進入する。水は、前置フィルターコア２の外層コア２２の側壁を通して内層コア２１内に進入し、初回の濾過を受けた後、中央出水管４を介して下に流動し、核心フィルターコア３に進入して二次濾過を受け、最終的に出水口６を介して排出される。
【図１】
2020521627.tif 000003
【国際調査報告】
2020521627.tif 000004
2020521627.tif 000005
2020521627.tif 000006
2020521627.tif 000007
2020521627.tif 000008
2020521627.tif 000009